(57)【要約】【課題】  吊りロープを介して吸込みグリルを昇降可能な天井埋込型空気調和装置において、吊りロープの取り回しの自由度を高める。【解決手段】  昇降装置２３により巻き取り・繰り出しされる吊りロープ１９Ａ、１９Ｂ、１９Ｃ、１９Ｄを介して昇降可能にセンターパネルを設けた天井埋込型空気調和装置において、昇降装置２３は、吊りロープ１９Ａ〜１９Ｄの巻取部を収納した横長の外装ケースを備え、この横長の外装ケースには、当該外装ケースの短手一方向に吊りロープ１９Ａ〜１９Ｄを案内可能なローラ４５と、外装ケースの短手他方向に吊りロープ１９Ａ〜１９Ｄを案内可能なローラ４６とを有する。【選択図】      図６
2011127895.tif 000002
【特許請求の範囲】
【請求項１】
熱交換器、及び送風機が収納された本体に横長の化粧パネルを設け、この横長の化粧パネルには昇降装置により巻き取り・繰り出しされる吊りロープを介して昇降可能に吸込みグリルを設けた天井埋込型空気調和装置において、
前記昇降装置は、前記吊りロープの巻取部を収納した横長の外装ケースであり、この横長の外装ケース内には、その一端部に当該外装ケースの短手一方向に、前記巻取部により巻き取り・繰り出しされる吊りロープを案内可能な第１のローラを、その他端部に前記外装ケースの短手他方向に、前記巻取部により巻き取り・繰り出しされる吊りロープを案内可能な第２のローラを夫々配置し、
且つこの外装ケースは前記横長の化粧パネルに対してその長手方向の一端部に寄った位置に配置され、
この外装ケースの両端の各ローラから巻き取り・繰り出しされる吊りロープは、前記横長の化粧パネルの横長方向に沿ってループ状につながれて前記吸込みグリルを支えていることを特徴とする天井埋込型空気調和装置。
【請求項２】
前記横長の化粧パネルの四隅には前記吊りロープを下方にガイドする下ロープガイドが、
前記吸い込みグリルの四隅には前記吊りロープを上方にガイドする上ロープガイドが夫々設けられていることを特徴とする請求項１記載の天井埋込型空気調和装置。
【発明の詳細な説明】
【技術分野】
【０００１】
本発明は、吊りロープを介して昇降可能に吸込みグリルを設けた天井埋込型空気調和装置に関する。
【背景技術】
【０００２】
従来、天井埋込型空気調和装置において、吸込空気の塵等を除去するフィルタを備えた吸込みグリルを吊りロープ（紐）によって吊り下げ、この吊りロープを巻き取り及び繰り出すことによって吸込グリルを昇降させ、フィルタ交換作業等のメンテナンスを容易にしたものが知られている（例えば、特許文献１参照。）。
【特許文献１】特開平１０−１４８３９０号公報
【発明の開示】
【発明が解決しようとする課題】
【０００３】
このような天井埋込型空気調和装置においては、安定した昇降動作を実現するため、効率よく吊りロープを取り回す必要がある。しかしながら、吊りロープの取り回し位置は、吊りロープの巻き取り及び繰り出しを行う昇降装置の位置や昇降装置からの吊りロープの引き出し方向等に制限される。このため、天井埋込型空気調和装置の仕様毎に吊りロープの取り回しを決めなければならず、効率が悪いという問題があった。
【０００４】
本発明は、上述した事情に鑑みてなされたものであり、吊りロープを介して吸込みグリルを昇降可能な天井埋込型空気調和装置において、吊りロープの取り回しの自由度を高めることを目的とする。
【課題を解決するための手段】
【０００５】
上記課題を解決するため、本発明は、熱交換器、及び送風機が収納された本体に横長の化粧パネルを設け、この横長の化粧パネルには昇降装置により巻き取り・繰り出しされる吊りロープを介して昇降可能に吸込みグリルを設けた天井埋込型空気調和装置において、  前記昇降装置は、前記吊りロープの巻取部を収納した横長の外装ケースであり、この横長の外装ケース内には、その一端部に当該外装ケースの短手一方向に、前記巻取部により巻き取り・繰り出しされる吊りロープを案内可能な第１のローラを、その他端部に前記外装ケースの短手他方向に、前記巻取部により巻き取り・繰り出しされる吊りロープを案内可能な第２のローラを夫々配置し、且つこの外装ケースは前記横長の化粧パネルに対してその長手方向の一端部に寄った位置に配置され、この外装ケースの両端の各ローラから巻き取り・繰り出しされる吊りロープは、前記横長の化粧パネルの横長方向に沿ってループ状につながれて前記吸込みグリルを支えていることを特徴としている。
【０００６】
ここで、吸込みグリルとは、それ自体に空気を通す複数の孔が形成されたものに限定されない。すなわち、それ自体には孔が形成されておらず、上端位置まで上昇した場合において側方に空気を通す空間を形成する、いわゆるセンターパネルを含む。
【０００７】
さらに、上記発明において、横長の化粧パネルの四隅には前記吊りロープを下方にガイドする下ロープガイドが、前記吸い込みグリルの四隅には前記吊りロープを上方にガイドする上ロープガイドが夫々設けられている構成としてもよい。
【発明の効果】
【０００８】
本発明によれば、吊りロープを介して昇降可能に吸込みグリルを設けた天井埋込型空気調和装置において、昇降装置となる外装ケースは横長の化粧パネルに対してその長手方向の一端部に寄った位置に配置され、この外装ケースの両端の各ローラから巻き取り・繰り出しされる吊りロープは、横長の化粧パネルの横長方向に沿ってループ状につながれて前記吸込みグリルを支えているので、昇降装置の短手方向において、２方向のうち任意の方から吊りロープを引き出すことができる。これにより、吊りロープの取り回しにおける自由度が格段に向上する。また、昇降装置が横長の化粧パネルに対してその短手方向の端部に沿って配置されるので、化粧パネルの中心部が空気の流通スペースとなり、通風抵抗の増加を抑えることができる。
【発明を実施するための最良の形態】
【０００９】
以下、図面を参照しつつ本発明の実施の形態について説明する。
【００１０】
図１は、本発明を適用した天井埋込型空気調和装置の構成を示す斜視図である。
【００１１】
天井埋込型空気調和装置の本体１の下端には、両端に吹出口７を有する化粧パネル９が固定される。化粧パネル９の中央は略矩形に開口し、この中央開口内に熱交換器３及び送風機５等が収容される。また、化粧パネル９の中央開口には、両側に吸込口１５としての空間を残すように、板金製のセンターパネル１７が上記中央開口を塞ぐよう設けられる。
【００１２】
図１及び図２に示すように、センターパネル１７には、吸込空気を浄化するフィルタ１３が支持され、これらは一体となって、四本の吊りロープ１９Ａ、１９Ｂ、１９Ｃ、１９Ｄを介して昇降自在に吊持されている。
【００１３】
また、化粧パネル９の中央開口内には昇降装置２３が配設される。昇降装置２３は、横長の外装ケースを有し、この外装ケースの短手方向と中央開口の長手方向とが略一致する向きに取り付けられる。昇降装置２３は、吊りロープ１９Ａ、１９Ｂ、１９Ｃ、１９Ｄの巻き取り動作及び繰り出し動作を行い、センターパネル１７を昇降させる。
【００１４】
図２に示すように、センターパネル１７が化粧パネル９の中央開口に収納された状態で、センターパネル１７の両側に形成される吸込口１５から、図２中に矢印で示すように室内の空気が吸い込まれる。すると、この空気はフィルタ１３を通って浄化され、送風機５に吸い込まれて吐出され、熱交換器３を通って熱交換された後、化粧パネル９の両端の吹出口７から室内へ吐出される。
【００１５】
なお、本第１の実施の形態に係る天井埋込型空気調和装置は、その表面に空気を通すための孔を有しないセンターパネル１７を昇降させるものであるが、上述のように吸込口１５を形成することにより、いわゆる吸込みグリルと同等に機能する。すなわち、本第１の実施の形態では、本発明の吸込みグリルの一態様としてセンターパネル１７を用いた場合を例示する。
【００１６】
図３に示すように、昇降装置２３は、本体１の長手方向の一端部に寄った位置において、内パネル３０の上に載せられて固定される。内パネル３０は、本体１が有する中央開口において下側に露出する樹脂製のパネルである。
【００１７】
図４に示すように、昇降装置２３の本体側端部は下方に延伸され、その先端は折り曲げ加工されて水平面をなし、この水平面にはビス穴２３Ａが穿設されている。また、このビス穴２３Ａに対応して、内パネル３０にはビス受け部としてのボス３１が配設される。
【００１８】
図５に示すように、ボス３１にはビスを受ける穴が形成されているので、昇降装置２３を内パネル３０の上に載せ、ボス３１とビス穴２３Ａの位置を合わせてビス止めすることにより、昇降装置２３が固定される。
【００１９】
ここで、昇降装置２３を固定するビスは内パネル３０の上面にのみ露出し、内パネル３０の下面、すなわち化粧パネル９の中央開口に露出する面からはビスが見えないので、本体１の美観が損なわれないという利点がある。
【００２０】
そして、図３に示すように、昇降装置２３からは吊りロープ１９Ａ、１９Ｂ、１９Ｃ、１９Ｄが引き出され、センターパネル１７を吊持する。４本の吊りロープ１９Ａ、１９Ｂ、１９Ｃ、１９Ｄは、いずれも昇降装置２３の一側面より引き出されて略水平に案内された後、内パネル３０に取り付けられた上ロープガイド２２に巻き掛けられる。
【００２１】
図６に示すように、上ロープガイド２２は、吊りロープ１９Ａ、１９Ｂ、１９Ｃ、１９Ｄが巻き掛けられるプーリ２２Ａを有し、このプーリ２２Ａによって吊りロープ１９Ａ、１９Ｂ、１９Ｃ、１９Ｄを下方に案内する。上ロープガイド２２は、角柱状に形成されたカラー２２Ｂを有し、このカラー２２Ｂには貫通孔が設けられ、プーリ２２Ａにより案内された吊りロープ１９Ａ、１９Ｂ、１９Ｃ、１９Ｄはカラー２２Ｂの貫通孔を通って引き出される。
【００２２】
図３に示すように、内パネル３０の上面には、上ロープガイド２２を取り付けるためのガイド取付部３３が設けられる。
【００２３】
図９Ａに詳細に示すように、ガイド取付部３３にはビスを受けるボス３４が立設され、ボス３４の隣には角形の凹部が形成され、この凹部の底面にノックアウトホール３５が形成される。ノックアウトホール３５は円形のリブを有し、本体１の組み立て前においては塞がれており、上ロープガイド２２を取り付ける際に、図９Ｂに示すように円形のリブの内側に孔が穿設される。
【００２４】
図９Ｃに示すように、上記角形の凹部には、上ロープガイド２２のカラー２２Ｂが上方から嵌め込まれる。ここで、上ロープガイド２２の基台部に形成されたビス穴を通してボス３４にビス止めすることにより、上ロープガイド２２の基台部が内パネル３０に固定される。
【００２５】
このようにガイド取付部３３に上ロープガイド２２を取り付けると、ノックアウトホール３５に穿設された穴からカラー２２Ｂの貫通孔が露出し、この貫通孔を通って吊りロープ１９Ａ、１９Ｂ、１９Ｃ、１９Ｄが下方へ引き出される。
【００２６】
図３に示すように、上ロープガイド２２によって下方に案内された吊りロープ１９Ａ、１９Ｂ、１９Ｃ、１９Ｄは、センターパネル１７の四つのコーナー部にそれぞれ取り付けられた４個の下ロープガイド２０に係合する。吊りロープ１９Ａ、１９Ｂ、１９Ｃ、１９Ｄは、下ロープガイド２０により向きを変えられてセンターパネル１７の長手方向に沿って延び、２本づつ連結される。
【００２７】
すなわち、センターパネル１７の長手方向に対向する２個の下ロープガイド２０によって各々案内された吊りロープ１９Ａと吊りロープ１９Ｃとがスプリング２１を介して連結され、同様に、吊りロープ１９Ｂと吊りロープ１９Ｄとがスプリング２１を介して連結される。
【００２８】
図６及び図７に示すように、吊りロープ１９Ａ、１９Ｂ、１９Ｃ、１９Ｄの先端にはフック５０が固定されており、このフック５０をスプリング２１の端部に引っ掛けて固定することで、吊りロープ１９Ａ、１９Ｂ、１９Ｃ、１９Ｄがスプリング２１に連結される。
【００２９】
このスプリング２１の作用により、センターパネル１７の上昇時に、センターパネル１７及びフィルタ１３を水平な状態で吊り上げ、化粧パネル９の中央開口に確実に収容できるという利点がある。すなわち、センターパネル１７が長手方向に傾いて化粧パネル９の中央開口に収納される場合、センターパネル１７の傾きにより上方側となった吊りロープに対して昇降駆動装置２３から巻き取り力が作用し、この巻き取り力によりスプリング２１が伸長する。スプリング２１が伸長されることで、センターパネル１７の傾きにより下方側となった吊りロープが巻き取られる。この動作により、センターパネル１７の傾きが徐々に解消され、センターパネル１７及びフィルタ１３が、水平状態で化粧パネル９の中央開口内に収納される。
【００３０】
また、下ロープガイド２０に巻き掛けられた吊りロープ１９Ａと吊りロープ１９Ｃ、及び、吊りロープ１９Ｂと吊りロープ１９Ｄは、スプリング２１を介して連結されて各々ループを構成するので、センターパネル１７は、その長手方向に延びる２本のループによって吊持される。従って、仮に、一方のループを構成する吊りロープが切れたとしても、センターパネル１７はもう一方のループによって吊持された状態を保ち、落下しない。この場合、センターパネル１７は、異常がない側のループを中心として回転・揺動する可能性があるが、その回転半径はセンターパネル１７の短手方向のサイズ以下であるため、センターパネル１７が動く範囲は最小限に抑えられる。
【００３１】
さらに、吊りロープ１９Ａ、１９Ｂ、１９Ｃ、１９Ｄのいずれかが切れた場合、切れた吊りロープにスプリング２１を介して連結された他の吊りロープの端部が解放されてしまうが、当該吊りロープに固定されたフック５０及びスプリング２１が下ロープガイド２０に引っかかることで、当該吊りロープが下ロープガイド２０から脱落することはない。従って、吊りロープ１９Ａ、１９Ｂ、１９Ｃ、１９Ｄのいずれか１本が切れたとしても、センターパネル１７は他の３本の吊りロープにより吊持され、速やかに静止する。
【００３２】
続いて、昇降装置２３の構成について説明する。
【００３３】
図６の断面視図及び図７の正面図に示すように、昇降装置２３は横長の外装ケースを有し、この外装ケース内に駆動部４０を備える。駆動部４０は、上記外装ケースの長手方向両端に配設される一対の駆動機構４０Ａ、４０Ｂにより構成される。駆動機構４０Ａは、吊りロープ１９Ａ、１９Ｃの巻き取り及び繰り出しを行い、駆動機構４０Ｂは吊りロープ１９Ｂ、１９Ｄの巻き取り及び繰り出しを行う。
【００３４】
駆動機構４０Ａは、図示しない制御部の制御に従って正転及び逆転動作するモータ４１と、モータ４１の駆動力により回転する複数のギアからなる駆動輪列４２とを備える。モータ４１の回転軸にはピニオンギアが固定され、このピニオンギアには駆動輪列４２が有する傘歯ギアが噛み合い、モータ４１の回転に伴って傘歯ギアが水平方向に回転する。そして、この傘歯ギアの回転は、駆動輪列４２が有する別のギアを介して巻取部４３に伝達される。
【００３５】
巻取部４３は、駆動輪列４２が有するギアに噛み合うギアと、吊りロープ１９Ａを巻き取るボビンと、吊りロープ１９Ｃを巻き取るボビンとが同軸に重ねて固定された構成を有し、これらギア及び２個のボビンは一体に回転する。吊りロープ１９Ａを巻き取るボビンと、吊りロープ１９Ｃを巻き取るボビンとは異なる高さ位置にあり、吊りロープ１９Ａと吊りロープ１９Ｃはボビンから平行に引き出され、ローラ４４に巻き掛けられて略直角に向きを変えて案内されて、一対のローラ４５、４６の間を通る。
【００３６】
一方、昇降装置２３の外装ケースの正面、すなわち化粧パネル９の中央開口の中心に向かう面には、ロープ取出口４７が設けられる。ロープ取出口４７は、昇降装置２３内の駆動部４０から吊りロープを引き出すための貫通孔を有し、駆動機構４０Ａ側には吊りロープ１９Ａ、１９Ｃに対応して２個の孔を有するロープ取出口４７が形成され、駆動機構４０Ｂ側にも吊りロープ１９Ｂ、１９Ｄに対応する２個の孔を有するロープ取出口４７が形成される。
【００３７】
さらに、昇降装置２３の反対側の面、すなわち背面には、ロープ取出口４８が設けられる。ロープ取出口４８は、昇降装置２３内の駆動部４０から吊りロープを引き出すための貫通孔を有し、駆動機構４０Ａ側には、吊りロープ１９Ａに対応して１個の孔を有するロープ取出口４８が形成され、駆動機構４０Ｂ側には、吊りロープ１９Ｂに対応して１個の孔を有するロープ取出口４８が形成される。
【００３８】
このように、昇降装置２３の外装ケースにおいて、その短手方向の一方の面にはロープ取出口４７が形成され、他方の面にはロープ取出口４８が形成されており、これらロープ取出口４７、４８から後述するようにロープ１９Ａ、１９Ｂ、１９Ｃ、１９Ｄを引き出すことができる。
【００３９】
そして、駆動機構４０Ａが備える一対のローラ４５、４６のうち、第１のローラとしてのローラ４５は、吊りロープ１９Ａ、１９Ｃに対してロープ取出口４７側に位置し、第２のローラとしてのローラ４６は、ロープ取出口４８側に位置する。
【００４０】
図８は、ローラ４５、４６の断面図である。図８に示すように、ローラ４５の周面には異なる高さ位置において、上から順に案内溝４５Ａ、４５Ｂが形成される。例えば、吊りロープ１９Ｃが巻取部４３の上側のボビンに巻き取られ、吊りロープ１９Ａが巻取部４３の下側のボビンに巻き取られる場合、案内溝４５Ａは吊りロープ１９Ｃを巻き掛けることが可能な高さ位置にあり、案内溝４５Ｂは吊りロープ１９Ａを巻き掛けることが可能な高さ位置にある。従って、ローラ４５に吊りロープ１９Ａ、１９Ｃの両方を同時に巻き掛けた場合、吊りロープ１９Ａ、１９Ｃはローラ４５の周面において互いに接触しないよう個別に案内され、吊りロープ１９Ａ、１９Ｃを確実に巻き取り・繰り出すことができる。
【００４１】
また、ローラ４６の周面には、吊りロープ１９Ａの高さ位置に合わせて案内溝４６Ａが形成され、この案内溝４６Ａに吊りロープ１９Ａを巻き掛けることが可能である。
【００４２】
このように、駆動機構４０Ａが有するローラ４５は、昇降装置２３の外装ケースの短手一方向に吊りロープ１９Ａ、１９Ｃを案内し、ローラ４６は、昇降装置２３の外装ケースの短手他方向に吊りロープ１９Ａを案内する。すなわち、吊りロープ１９Ａは、ローラ４５の案内溝４５Ｂを介してロープ取出口４７へ案内することも、ローラ４６の案内溝４６Ａを介してロープ取出口４８へ案内することも可能であり、吊りロープ１９Ｃは案内溝４５Ａを介してロープ取出口４７へ案内される。
【００４３】
吊りロープ１９Ａ、１９Ｃはいずれもローラ４５に巻き掛けられ、略直角に向きを変えて案内され、ロープ取出口４７から引き出される。
【００４４】
さらに、駆動機構４０Ａには、ローラ４６からロープ取出口４８に至る線に沿って仕切板４９が配設される。仕切板４９は、ローラ４６からロープ取出口４８へ延びる吊りロープ１９Ａ、１９Ｃのいずれかを、巻取部４３に接触しないよう案内する。
【００４５】
また、ローラ４４とローラ４５、４６との間にはロープ切れ検出部５１が配設される。ロープ切れ検出部５１は、吊りロープ１９Ａ、１９Ｃに各々対応する２個の板体を有し、これら２個の板体には吊りロープ１９Ａ、１９Ｃを通す貫通孔が形成され、さらに、上記２個の板体は吊りロープ１９Ａ、１９Ｃに向けて付勢される。また、ロープ切れ検出部５１は、上記２個の板体の位置に応じてＯＮ／ＯＦＦされるスイッチを有する。
【００４６】
吊りロープ１９Ａ、１９Ｃがともにスプリング２１に連結されてたるみなく張られた状態では、上記板体の付勢力と吊りロープ１９Ａ、１９Ｃの張力とが抗して、板体の貫通孔の縁が吊りロープ１９Ａ、１９Ｃに接して安定する。ここで吊りロープ１９Ａが切れた場合、吊りロープ１９Ａに接している板体が、その付勢力によって移動して、この移動によって上記スイッチが切り替わる。同様に、吊りロープ１９Ｃが切れた場合、吊りロープ１９Ｃに接している板体が移動し、この移動によって上記スイッチが切り替わる。従って、ロープ切れ検出部５１が備えるスイッチのＯＮ／ＯＦＦ状態を制御部（図示略）で検出することで、吊りロープ１９Ａ、１９Ｃの異常を検出できる。
【００４７】
駆動機構４０Ｂは、駆動機構４０Ａと同様に、モータ４１、駆動輪列４２、巻取部４３、及びローラ４４、４５、４６等を備えて構成され、昇降装置２３の外装ケースの長手方向中央に対し、駆動機構４０Ａと対称に構成される。駆動機構４０Ｂの巻取部４３が有するボビンには吊りロープ１９Ｂ、１９Ｄが巻き取られており、これら吊りロープ１９Ｂ、１９Ｄは、ローラ４５、４６の間を通る。吊りロープ１９Ｂは、ローラ４５に巻き掛けられてロープ取出口４７から引き出され、或いはローラ４６に巻き掛けられてロープ取出口４８から引き出される。また、吊りロープ１９Ｄはローラ４５を介してロープ取出口４７から引き出される。
【００４８】
以上のように構成される昇降装置２３は、駆動機構４０Ａ及び駆動機構４０Ｂが有する２個のモータ４１を正転（若しくは逆転）させることにより、吊りロープ１９Ａ、１９Ｂ、１９Ｃ、１９Ｄを繰り出してセンターパネル１７を下降させることができ、さらにモータ４１を逆転（若しくは正転）させることにより、吊りロープ１９Ａ、１９Ｂ、１９Ｃ、１９Ｄを巻き取ってセンターパネル１７を上昇させることができる。
【００４９】
上述したように、昇降装置２３においては、その外装ケースの短手一方向に吊りロープ１９Ａ、１９Ｂ、１９Ｃ、１９Ｄを引き出すことが可能であり、さらに、吊りロープ１９Ａ、１９Ｂは、外装ケースの短手他方向に引き出すことも可能であり、吊りロープの取り回しにおける自由度が極めて高い。このため、本第１の実施の形態においては、昇降装置２３の一方側の面に形成されたロープ取出口４７から４本の吊りロープ１９Ａ、１９Ｂ、１９Ｃ、１９Ｄを引き出せば、昇降装置２３からセンターパネル１７の四つのコーナー部に配設された下ロープガイド２０まで、効率よく吊りロープ１９Ａ、１９Ｂ、１９Ｃ、１９Ｄを取り回すことができる。
【図面の簡単な説明】
【００５０】
【図１】本発明を適用した第１の実施の形態に係る天井埋込型空気調和装置の概略構成を示す斜視図である。
【図２】天井埋込型空気調和装置の本体の横断面図である。
【図３】センターパネルの吊り下げ状態を示す要部斜視図である。
【図４】昇降装置の取り付け状態を示す要部分解斜視図である。
【図５】内パネルの要部を拡大して示す斜視図である。
【図６】昇降装置の構成を示す断面視図である。
【図７】昇降装置の構成を示す正面図である。
【図８】昇降装置が有するローラの構成を示す断面図である。
【図９】内パネルの要部を拡大して示す斜視図である。
【符号の説明】
【００５１】
１  本体
９  化粧パネル
１３  フィルタ
１７  センターパネル
１９Ａ、１９Ｂ、１９Ｃ、１９Ｄ  吊りロープ
２０  下ロープガイド
２２  上ロープガイド
２３  昇降装置
３０  内パネル
３１  ボス（ビス受け部）
３３  ガイド取付部
３５  ノックアウトホール
４０  駆動部
４０Ａ、４０Ｂ  駆動機構
４３  巻取部
４４  ローラ
４５  ローラ（第１のローラ）
４６  ローラ（第２のローラ）
４５Ａ、４５Ｂ、４６Ａ  案内溝
４７、４８  ロープ取出口
【図１】
2011127895.tif 000003
【図２】
2011127895.tif 000004
【図３】
2011127895.tif 000005
【図４】
2011127895.tif 000006
【図５】
2011127895.tif 000007
【図６】
2011127895.tif 000008
【図７】
2011127895.tif 000009
【図８】
2011127895.tif 000010
【図９】
2011127895.tif 000011